(57)【要約】【課題】圧着コネクタにおいてターミナルに対する圧着時の電線の定位結線手段を提供し、芯線の異常変形やそれにより惹起される抵抗値の変化を抑制する。【解決手段】電線２１が圧入されるターミナル１３を有するベースハウジング３と、ベースハウジング３に装着され電線２１が挿入される電線挿入孔２９を有するカバーハウジング５と、カバーハウジング５上に設けられ、ターミナル１３に圧入される電線２１を押圧する電線保持部３１と、電線挿入孔２９に直交しかつ電線挿入孔２９の長手方向において電線保持部３１に隣接して形成される圧接スリット３３とを有する。【選択図】　図６
2004055515.tif 000002
【特許請求の範囲】
【請求項１】
被覆２１ｂを伴う電線２１が圧入される圧接端子１３が固定されたベースハウジング３と、
このベースハウジング３に装着され電線２１が挿入される案内孔２９を有するカバーハウジング５と、
このカバーハウジング５上に設けられ、前記案内孔２９に挿入される電線２１を保持する電線保持部３１とを備え、
前記カバーハウジング５は、前記電線２１を前記案内孔２９内においてその電線接続方向の定位置に固定させる電線定位置固定手段３０を有し、
前記案内孔２９における前記定位置で前記電線定位置固定手段３０により固定された電線２１を前記電線保持部３１により保持しつつ圧接端子１３の圧接刃内に変位せしめ結線する圧接コネクタ。
【請求項２】
前記電線定位置固定手段３０は、案内孔２９内面に被覆２１ｂを伴う電線２１の径よりも徐々に小径となるテーパ面として形成されたテーパ部であることを特徴とする請求項１に記載の圧接コネクタ。
【請求項３】
前記電線保持部３１は、カバーハウジング５上に取り付けられた状態で、電線２１を装着する際に、案内孔２９に挿入される電線２１に干渉しない位置に変位可能であることを特徴とする請求項１に記載の圧接コネクタ。
【請求項４】
前記電線保持部３１は、変位案内部３２，３８により案内されて平行に変位することを特徴とする請求項３に記載の圧接コネクタ。
【請求項５】
前記電線保持部３１が降下して前記案内孔２９と交叉する部位に電線を保護する保護部６２を設け、この保護部６２により電線２１を包むことを特徴とする請求項１に記載の圧接コネクタ。
【請求項６】
前記圧接端子１３はベースハウジング３上に複数設けられるとともに、隣接する圧接端子１３を相互に電線結線方向に千鳥足状にずらして設けたことを特徴とする請求項１に記載の圧接コネクタ。
【請求項７】
被覆２１ｂを伴う電線２１をコネクタに結線する方法であって、
電線２１をカバーハウジング５内の案内孔２９に挿入し電線定位置固定手段３０により仮止めを行う第一の段階と、
カバーハウジング５に設けられた電線保持部３１により当該電線２１を保持する第二の段階と、
外部からの加圧により電線保持部３１およびカバーハウジング５をベースハウジング３方向に押圧することにより圧接端子１３に対して電線２１が圧接され、電線２１の芯線２１ａと圧接端子１３との導通が為される第三の段階とからなる圧接コネクタの結線方法。
【発明の詳細な説明】
【０００１】
【発明の属する技術分野】
本発明は電線を各種電装部品や基板に接続したり、異なる電線対を相互に接続するのに用いられるコネクタに関する。
【０００２】
【従来の技術】
コネクタの一種として圧接タイプのコネクタ（以下圧接コネクタ）が広く使われているが、この種のコネクタは結線用の圧接刃を伴う圧接端子を備えている。
【０００３】
当該圧接端子に係る前記圧接刃は板材を打ち抜いたＶ字またはＵ字形態をしており、その溝内に被覆２１ｂを伴ったままの電線を圧入することで、電線と圧接端子とが接続される。詳しくは、端子への前記電線圧入時にＶ字またはＵ字形態をした圧接刃に電線を圧入することで、圧接端子が電線の被覆２１ｂを突き破り、芯線と圧接端子とが接触し、圧接端子と外部回路の電線とが電気的接触をなす。
【０００４】
他の種類のコネクタでは、端子への結線時にストリッパなどの特殊工具を使用した被覆除去作業を行わねばならないものがあるが、こうした圧接タイプのコネクタを使用することで、被覆除去作業を省くことができるという利点がある。
【０００５】
【発明が解決しようとする課題】
ところで、外部回路の電線を圧接端子の溝に圧入するだけでは、圧接コネクタが適用される装置の使用中に生じる振動や、電線に生じる張力などの外力により、圧接端子に圧入されていた電線が抜け落ちてしまう虞がある。
そこで、上記問題を解決するために圧接端子の溝内に押入された電線を溝内にて電線の押入方向に押圧する電線押圧手段を有するコネクタが開示されている（例えば特許文献１参照）。
【特許文献１】
実開昭５９−０８０９７１号公報
【０００６】
このようなコネクタによれば、圧接端子の溝内に圧入されつつある電線が電線押圧手段によってさらに強引に押圧するので電線の抜け落ちが防止される。
しかし、このコネクタによれば、圧接端子への電線の入り込み状態がどのようであろうとも、例えば溝の中央から偏った状態で位置していたりする場合でも、電線は電線押圧手段により押圧される。その結果、電線の芯線の全部または一部に無理が生じ、集中応力を生ぜしめる。その結果、芯線の断面積が減少し接触抵抗値が上昇したり（当初芯線は複数あり、その配列が集中応力を受けて異なるだけであって、芯線の数は不変であるから芯線の総断面積が減少することはないと考えていたのですが、芯線が太い一本の芯線である場合、その形状が変化すれば断面積も変化することもありえると判断するにいたりました。例えば、縦横１０ｍｍの矩形芯線の断面積は縦１０ｍｍ×横１０ｍｍ＝１００ｍｍ２ですが、これが集中応力を受けて縦１ｍｍ横１９ｍｍになった場合の断面積は１９ｍｍ２であり、断面積は小さくなります。）、あるいは片寄により局部に隙間が生じて一部の芯線が圧接端子と接触しなかったり、切断されたりすることに起因して、空気中の水分により酸化が生じ、耐久性が落ちたり接触抵抗値にばらつきが生じてしまう虞がある。
【０００７】
本発明は前述の技術的課題を解決するためのものであってその解決しようとする課題は、電線を正規位置に適切に保持した状態で圧接し、さらに電線内の芯線に無理が生じるのを防止し、延いては接触抵抗値の変化や芯線の劣化を防ごうとするものである。
【０００８】
【課題を解決するための手段】
そこで本発明のコネクタは次のように構成した。
被覆を伴う電線が圧入される圧接端子が固定されたベースハウジングと、このベースハウジングに装着され電線が挿入される案内孔を有するカバーハウジング５と、このカバーハウジング上に設けられ、前記案内孔に挿入される電線を保持する電線保持部とを備え、前記カバーハウジングは、前記電線を前記案内孔内においてその電線接続方向（電線挿入方向）の定位置に固定させる電線定位置固定手段を有し、前記案内孔における前記定位置で前記電線定位置固定手段により固定された電線を前記電線保持部により保持しつつ圧接端子の圧接刃内に変位せしめ結線する圧接コネクタである。
【０００９】
上記によれば、電線をカバーハウジングの有する案内孔に挿入することで、まず電線接続方向における電線の定位置での固定が担保される。さらにこの状態が電線保持部により維持されつつ、電線保持部を伴ったカバーハウジングの、ベースハウジング内への移動により、圧接端子の適切な位置に電線が固定され、圧接による結線がきわめて正確に行われる。すなわち電線が定位置で固定されたままで圧接端子に圧した状態で接触できるので接触抵抗のばらつきが軽減される。
【００１０】
また、電線は圧接端子の溝内に正規位置にない状態から無理矢理押し込まれるわけではないので、電線内の芯線に無理が生じたりすることがない。このため、芯線に過度の集中応力が生じないので芯線の劣化や一部の芯線の接触不良による接触抵抗値の増加を防止できる。
【００１１】
また、被覆を伴う電線を圧接コネクタに結線する方法として、電線をカバーハウジング内の案内孔に挿入し電線定位置固定手段により仮止めを行う第一の段階と、カバーハウジングに設けられた電線保持部により当該電線を保持する第二の段階と、外部からの加圧により電線保持部およびカバーハウジングをベースハウジング方向に押圧することにより圧接端子に対して電線が圧接され、電線の芯線と圧接端子との導通が為される第三の段階とからなる方法を用いれば、圧接端子に対する電線の正規位置を確保できる。
【００１２】
さらに前記電線挿入孔の先端部にテーパ加工を施し、テーパ部を有する電線挿入孔に被覆を伴う電線を挿入すれば、被覆を伴う電線は、電線挿入孔への挿入度合いが高いほど前記テーパ部に当接した時に生じる反発力は高くなるため、当該反発力を利用した電線の仮止めが可能である。
【００１３】
カバーハウジング上に取り付けられた状態の前記電線保持部は、電線をベースハウジングの案内孔に挿入する際に、電線と干渉しない位置に変位可能であることが望ましい。このようにすることにより、電線が電線保持部に当たらないので、結線前に電線保持部が電線に押されて脱落することがない。しかも電線はその進行が妨げられないのでスムーズに電線を電線挿入孔に挿入してその接続方向における定位置に電線を保つことが可能となる。
【００１４】
前記電線保持部は、変位案内部により案内されて平行に変位する様にしてもよい。
【００１５】
圧接端子はベースハウジング上に複数設けられるとともに、隣接する圧接端子を相互に電線結線方向に千鳥足状にずらして設ける様にしてもよい。このようにすることにより、圧接端子自体の幅を強度上の観点から十分にとったとしても、それらが互いに接触する事態を防げるので、コネクタの狭ピッチ化を図ることができる。
【００１６】
前記電線保持部が降下して前記案内孔と交叉する部位に電線２１を保護する保護部を設け、この保護部により電線を包むことを特徴してもよい。
【００１７】
【発明の実施の形態】
次に、本発明に係るコネクタの実施の形態を図面に基づいて説明する。
【００１８】
（第１の実施の形態）
【００１９】
図１〜図２０を参照して第１の実施の形態（以下第１実施形態）に係る圧接コネクタ１について説明する。
【００２０】
圧接コネクタ１は、いわゆるプラグコネクタであって、ベースハウジング３とベースハウジング３に重ね合わされるカバーハウジング５とからなる。
【００２１】
ベースハウジング３は、後述するターミナル１３が複数固定され、カバーハウジング５により包囲される端子収容室７と、圧接コネクタ１の嵌合相手であるリセプタクルコネクタ（図１〜図５等に符号２５で示す）との差し込みがされる差込部９と、端子収容室７及び差込部９との間に位置する隔壁１１（図１０参照）とを有する。
【００２２】
端子収容室７は、荷台のごとき形態の空間部であり、圧接端子であるターミナル１３が複数（この実施形態では４本）、端子収容室７の底面１５に固定されている（図１０，図１４等参照）。
【００２３】
ターミナル１３は、りん青銅の薄板を曲げ加工して形成され、図１０，図１４，図２０からわかるように側端面で見ると英文字の疑問符「？」を横にしたような形状をしている。ターミナル１３は下地にニッケルめっきが施されている。また、ターミナル１３の各部位であって、電線２１の芯線２１ａ（図１５，図１６等参照）と直接接する圧接部１７、及び中空箱状のリセプタクルコネクタ２５と接続される接触部１９には、それぞれニッケルめっき層の上に半田（Ｓｎ，Ｐｂ）めっき及び金めっきが施されている。リセプタクルコネクタ２５の天板部２５ａは切り欠き部２５ａ１を有する。切り欠き部２５ａ１を設けることにより、リセプタクルコネクタ２５を圧接コネクタ１と嵌合したときにカバーハウジング５の本体５ａに当たらないようにすることができる。なお、リセプタクルコネクタ２５の側面には、係止孔２５ｂが形成されている。また、リセプタクルコネクタ２５の内部には圧接コネクタ１のターミナル１３の接触部１９と電気的接続関係にあるターミナル２５ｃを有する。ターミナル２５ｃを基板２８に半田付けすることで、リセプタクルコネクタ２５は基板２８に固定される。
【００２４】
圧接刃１７ａを伴う圧接部１７は、図１５及び図１６からわかるようにＵ字形態をしている。圧接部１７は、Ｕ字形態であるが故に有する溝２０内に電線２１が圧入される。溝２０に前記圧接刃１７ａが形成されている。ターミナル１３は、圧接部１７の基端部からターミナル１３の長手方向に延びる部分であり、ターミナル１３をベースハウジング３に固定する部位である固定部２３を有する。さらにその先には上方へのオフセット部位１８を経て接触部１９が延びている。
【００２５】
尚、前記オフセット部位１８をターミナル１３に形成することにより接触部１９が垂直方向（図１０における上下方向）における差込部９の略中央に位置する様になるので、圧接コネクタ１の嵌合相手であるリセプタクルコネクタ２５の設計自由度を担保し、終局的には双方のコネクタ、（つまり圧接コネクタ１とリセプタクルコネクタ２５）の低背化に寄与することになる。
【００２６】
差込部９は、嵌合相手であるリセプタクルコネクタ２５が外嵌される嵌合部として機能する。
隔壁１１は、ターミナル１３を保持する通孔２７を有する（図１０等参照）。通孔２７はターミナル１３をしまり嵌め状態にできるよう、通孔２７がターミナル１３の幅よりも幾分小さめに形成されている。
【００２７】
また、図１〜図７等に符号２６で示されるものは、一端固定他端自由な片持ち梁状の把持部であって、その中央部には、把持部２６に外力が加わっていない状態においてリセプタクルコネクタ２５と圧接コネクタ１との嵌合状態を維持するための係止爪２６ａが形成されている。
当該係止爪２６ａは、把持部２６を作業者が内側に押圧する（図３の白矢印参照）ことでリセプタクルコネクタ２５に形成された係止用孔２５ｂとの係止を解除し（図４に想像線で示す把持部２６の状態から同図実線で示す把持部２６参照）、押圧しなければ当該係止状態を維持する（図３参照）。
【００２８】
図２，図９，図１０等からわかるように、カバーハウジング５は、その本体５ａに前記外部回路の電線２１が挿入される電線挿入孔（案内孔）２９を複数（この実施形態では４本）有する。電線挿入孔２９は、カバーハウジング５の長手方向に貫通している。また、４箇所の電線挿入孔２９が等間隔で間口方向（カバーハウジング５の長手方向に対して直交する方向）に並列されている。各電線挿入孔２９の、電線２１の挿入方向側先端部はテーパ加工が施されてテーパ面が形成されたテーパ部３０とされている。テーパ面は、案内孔２９内面に被覆２１ｂを伴う電線２１の径よりも徐々に小径となる。
【００２９】
また、カバーハウジング５には、各圧接部１７に電線２１を圧入し、両者の接触を保ちつつ接続状態を維持する各圧接スリット３３と、圧入時における電線２１の定位状態を維持し、また結線後はストレイン・リリーフとしての、すなわち被覆２１ｂが圧接刃１７ａによって切り裂かれ圧接接続されたために強度的に十分でない部位に対して張力など電線２１を介した外力が生じないように保護する部位としての機能を有する電線保持部３１を有する。
【００３０】
電線保持部３１は、本体５ａに形成された各電線挿入孔２９の長手方向に対して直交している。このためカバーハウジング５には、電線保持部３１を電線挿入孔２９の長手方向に対して直交状態でスライドさせる開口３５を有する（図１〜図７，図１０，図１４等参照）。開口３５は、カバーハウジング５の天板３６から各電線挿入孔２９に至るまで貫通する貫通孔である。電線保持部３１は開口３５に案内される。そして、電線挿入孔２９に電線を挿入した状態で電線保持部３１（電線非固定位置については後述したためここでは削除）の上方を押圧することにより、電線２１の被覆上面に密着し電線２１を保持する箇所に移動する。この状態では、電線保持部３１の上面は天板３６と略面一の状態である。
【００３１】
電線保持部３１の下面にはこれを垂直に案内するための案内突部３２を有する（図１０，図１８，図１９参照）。案内突部３２は、電線保持部３１のうち電線２１に対向する面部３７（図１８，図１９参照）の中央からベースハウジング３側に垂直に延ばされた（延在された）矩形状の板部である。
【００３２】
案内突部３２は、電線挿入孔２９の軸方向に延びている。また前記カバーハウジング５には、案内突部３２が挿入される案内スリット（案内孔）３８を有する（図１７〜図１９参照）。案内突部３２が案内スリット３８に挿入されて、案内スリット３８内を移動することにより電線保持部３１はその始端位置（図１０おいて電線保持部３１がカバーハウジング５から突出している上昇状態参照）と終端位置（図１４において電線保持部３１がカバーハウジング５内に収まっている降下状態参照）との間を平行に（その姿勢を崩さずに）変位可能である。なお始端位置では電線保持部３１は電線２１に干渉しないので当該位置を電線非固定箇所ということができる。また、終端位置では電線保持部３１は電線２１に干渉するので当該位置を電線固定箇所ということができる。このように電線保持部３１は、案内突部３２を案内スリット３８に挿入することで始端位置と終端位置との間を平行に変位するので、案内突部３２と案内スリット３８とをこの明細書では変位案内部という。また、電線保持部３１が降下し終わった状態を維持するために、電線保持部３１の側部及びカバーハウジング５の本体５ａには、それぞれ係止爪３１ａ１及び５ａ１が形成されている（図１９参照）。
【００３３】
また前記面部３７（図１８，図１９参照）には、断面劣弧状の凹溝３９が複数（この実施形態では４つ）、それぞれ各電線２１の被覆２１ｂの円筒面に対応して形成されている。
【００３４】
圧接スリット３３（図１〜図６，図１０，図１４〜図１７は、電線挿入孔２９に直交しかつ電線挿入孔２９の長手方向において電線保持部３１と位置をずらして形成される。これは、電線間のピッチを広げることなく、圧接刃としての圧接部１７に十分な断面積を確保する上で有効に作用する。すなわち被覆２１ｂを伴う電線２１が圧接刃に押圧された際にその表面張力により圧接部１７が過大に変形し折損することの無い様にするためである。
ベースハウジング３にカバーハウジング５を装着すると、ベースハウジング３に取り付けられている圧接刃たる圧接部１７の一部が挿入されて、電線挿入孔２９に達し、同時に電線２１の被覆２１ｂに食い込んで、芯線２１ａとターミナル１３とが直接接触するようになる。
【００３５】
このような構成の圧接コネクタ１にあっては、図１０に示した状態から図２０に示した状態を経由して図１４のようにベースハウジング３にカバーハウジング５が収納された状態で装着される。カバーハウジング５の側面には、図１５や図１６からわかるように、ベースハウジング３にカバーハウジング５を収納したときにその状態を維持できるようにするための係合突起５ｂがカバーハウジング５の側面に複数形成されている。　そして。ベースハウジング３には、前記係合突起５ｂと係合関係にある係合突起３ｂが形成されている。両係合突起５ｂと３ｂとの係合によってベースハウジング３に対するカバーハウジング５の抜けを防止する。
【００３６】
すなわち、図１０で示す状態で、まずカバーハウジング５の電線挿入孔２９に被覆２１ｂを伴う電線２１を挿入する。電線２１を電線挿入孔２９に押し込んでテーパ部３０に行き着くとテーパ部３０の径より被覆２１ｂを含む電線２１の径の方が大きいので電線２１の先端が押圧されてそれ以上の進行が妨げられる。すなわち電線挿入孔２９の先端にテーパ加工を施すことでテーパ部３０に当接した電線２１の反発力を利用した電線２１の仮止めを行えるようになる。そして、電線２１が電線挿入孔２９内で仮止め固定される位置を電線接続方向（電線挿入方向）における定位置ということにする。よって、テーパ部３０のことを電線定位置固定手段３０という。また、カバーハウジング５の圧接スリット３３には、圧接部１７の先端部が挿入されている。
【００３７】
次に図２０に示すように、万力やプライヤ等の工具３４にて圧接コネクタ１を挟み込む。当初、電線保持部３１の上面に外力Ｆが加わり、電線保持部３１が開口３５内を図１０の状態に示す電線非固定箇所から電線２１を押圧する位置に移動する。
【００３８】
電線保持部３１の上面３１ｂとカバーハウジング５の天板３６とが面一になった状態で工具３４の外力Ｆが電線保持部３１とカバーハウジング５の天板３６の両方に掛かるようになり、カバーハウジング５をベースハウジング３の端子収容室７に向けて押し込む。
【００３９】
これにより複数の被覆２１ｂを伴う電線２１への一括圧接接続が施され、各電線２１の芯線２１ａ（図１５，図１６参照）が、ターミナル１３と直接接触するようになる。
【００４０】
以上述べてきた様に、本実施態様に係る圧接コネクタ１は、カバーハウジング５の電線挿入孔２９に被覆２１ｂを伴う電線２１を挿入することで、カバーハウジング５をベースハウジング３に組み込んだ場合のターミナル１３に対する電線２１の接続方向の定位が保証される。
また、ストレインリリーフとしての機能をも有する電線保持部３１によって電線２１が係止されるので電線２１の正規位置が維持される。
このように、電線２１はターミナル１３の溝２０内に、きわめて正確かつ整然と圧入されるので、電線２１内の芯線２１ａに無理が生じ劣化してしまったり、芯線２１ａの断面積が減少してしまったり、或いは各々の圧入位置で接触抵抗が異なってしまうことがない。
【００４１】
言い換えると、被覆２１ｂを伴う電線２１を圧接コネクタ１に結線する方法として、電線２１をカバーハウジング５内の電線挿入孔２９に挿入し電線定位置固定手段たるテーパ部３０により仮止めを行う第一の段階と、カバーハウジング５に設けられた電線保持部３１により当該電線２１を保持する第二の段階と、外部からの加圧により電線保持部３１およびカバーハウジング５をベースハウジング３方向に押圧することによりターミナル１３に対して電線２１が圧接され、電線２１の芯線２１ａとターミナル１３との導通が為される第三の段階を経た方法で電線２１を固定するので、ターミナル１３に対する電線２１の正規位置を確保できる。
【００４２】
（第２の実施の形態）
次に図２１〜図２４を用いて第２の実施形態について説明する。この第２の実施形態に係るコネクタが第１の実施形態に係るコネクタと相違する点はカバーハウジングだけである。よって、カバーハウジングについてのみ説明する。
【００４３】
第２の実施形態に係るカバーハウジング５０が第１の実施形態に係るカバーハウジング５と相違する点は、（１）電線保持部を案内する案内突部と、案内突部が係合する案内スリットを複数備えること、（２）案内突部そのものに電線保持部の機能を持たせること、（３）開口と電線挿入孔との交叉部位に保護部を設け、この保護部に案内スリットを形成したことの３点において相違する。よって同一部分には同一符号を付して説明を省略する。
【００４４】
詳しくは、図２１からわかるように、電線保持部３１の配置箇所である開口５５と電線挿入孔２９との交叉部位は、保護部６２で覆われ電線２１を保護する。よって、保護部６２を電線２１を覆い部といってもよい。そしてこの保護部６２に、長四角の両端を先細りにしたダイヤモンド形状の案内スリット５８が複数（この実施形態では４つ）形成されている。
【００４５】
保護部６２は、図２２，図２３に横断面で示す様に、連続したアーチ型形状をしている。それらアーチ部分の各頂部を中心に前記案内スリット５８がそれぞれ形成されている。
【００４６】
一方、案内突部５２は、図２３からわかるようにその断面形状が案内スリット５８よりも幾分薄めの矩形となっている。このようにしたのは、案内突部５２が案内スリット５８に干渉するのを防ぐためである。また、案内突部５２の先端面には複数の突起５６（図２４参照）が形成され、電線２１が押圧されたときにこれら突起５６によって安定し、電線２１に生じる張力にも耐えうる電線保持（即ちストレインリリーフとしての機能）ができるようにしている。
【００４７】
このような構成の本発明第２の実施形態に係るコネクタにあっても第１の実施形態に係るコネクタと基本的に同様の効果を奏する。また本実施形態独自の作用効果として、開口５５と電線挿入孔２９との交叉部位に保護部６２を設け、この保護部６２に案内スリット５８を形成した。よって、保護部６２に形成されている案内スリット５８に案内突部５２が挿入されて電線２１が案内突部５２によって押圧されて案内突部５２が電線保持部として機能した場合、案内スリット５８は案内突部５２によって閉塞されているので、電線２１の被覆材が電線挿入孔２９から外へはみ出しにくいという、電線２１を定位に保つ上での利点がある。
【００４８】
【発明の効果】
以上説明したように本発明によれば、カバーハウジングの電線挿入孔に電線を挿入することで、カバーハウジングをベースハウジングに組み込んだ場合の圧接端子に対する電線の定位が保証される。また、電線押圧部によって電線が強固に支持されるので電線の定位がそのまま維持され圧接刃への電線圧接が行いうる。よって、電線は圧接端子の溝内に定位でない状態から無理矢理押し込まれるわけではないので、電線内の芯線に異常な変形が生じたりすることがない。このため、芯線に過度の集中応力が生じないので芯線の劣化や抵抗値のばらつきを抑制でき、また異常な押圧による断面積の減少による抵抗値の増加を防止できる。
【図面の簡単な説明】
【図１】本発明に係る第１の実施形態に係る圧接コネクタをそのカバーハウジングをベースハウジングに組み込む前の状態においてリセプタクルコネクタと嵌合する直前の状態を示す斜視図である。
【図２】図１の状態を後方から見た斜視図である。
【図３】本発明に係る第１の実施形態に係る圧接コネクタをそのカバーハウジングをベースハウジングに組み込んだ状態においてリセプタクルコネクタと嵌合した状態を示す斜視図である。
【図４】図３の状態からリセプタクルコネクタを取り外す直前状態を示す斜視図である。
【図５】図４の状態からリセプタクルコネクタを取り外した状態を示す斜視図である。
【図６】本発明に係る第１の実施形態に係る圧接コネクタをそのカバーハウジングをベースハウジングに組み込む前の状態の平面図である。
【図７】図６の矢印ＶＩＩ方向から見た図である。
【図８】図７の矢印ＶＩＩＩ方向から見た図である。
【図９】図７の矢印ＩＸ方向から見た図である。
【図１０】図６のＸ−Ｘ線に沿った断面図である。
【図１１】本発明に係る第１の実施形態に係る圧接コネクタのカバーハウジングをベースハウジングに組み込んだ状態の側面図である。
【図１２】図１１の矢印ＸＩＩ方向から見た図である。
【図１３】図１１の矢印ＸＩＩＩ方向から見た図である。
【図１４】図１０の状態においてカバーハウジングをベースハウジングに組み込んだ状態を示す断面図である。
【図１５】図３のＸＶ−ＸＶ線に沿った断面図である。
【図１６】図１５の状態においてカバーハウジングをベースハウジングに組み込んだ状態を示す断面図である。
【図１７】電線保持部を想像線で示すカバーハウジングの平面図である。
【図１８】図１７のＸＶＩＩＩ−ＸＶＩＩＩ線に沿った断面図であって電線保持部を実線で示した図である。
【図１９】図１７の矢印ＸＩＸ方向から見た図であって電線保持部を実線で示した図である。
【図２０】本発明に係るコネクタをプライヤー等の工具や治具にて挟持している状態を示す図である。
【図２１】本発明に係る第２の実施形態に係るカバーハウジングの平面図であって図１７に相当する図である。
【図２２】図２１の矢印ＩＩＸＩＩ方向から見た図であって図１９に相当する図である。
【図２３】図２１のＩＩＸＩＩＩ−ＩＩＸＩＩＩ線に沿った断面図であって図１８に相当する図である。
【図２４】図２１のＩＩＸＩＶ−ＩＩＸＩＶ線に沿った断面図であって電線保持部を付加した状態を示す図である。
【符号の説明】
１　圧接コネクタ（プラグコネクタ）
３　ベースハウジング
５　カバーハウジング
５ａ　カバーハウジングの本体
５ａ１　　係止爪
５ｂ　係合突起
７　端子収容室
９　差込部
１１　隔壁
１３　ターミナル（圧接端子）
１５　底面
１７　圧接部
１７ａ　圧接刃
１８　オフセット部位
１９　接触部
２０　溝
２１　電線
２１ａ　芯線
２１ｂ　被覆
２３　固定部
２５　リセプタクルコネクタ
２５ａ　天板部
２５ａ１　切り欠き部
２５ｂ　係止孔
２５ｃ　ターミナル
２６　把持部
２６ａ　係止爪
２７　通孔
２９　電線挿入孔（案内孔）
３０　テーパ部（電線定位置固定手段）
３１　電線保持部
３１ａ　係止爪
３２　案内突部（変位案内部）
３３　圧接スリット
３４　工具
３５　開口
３６　天板
３７　面部
３８　案内スリット（変位案内部）
３９　凹溝
５０　カバーハウジング
５２　案内突部（変位案内部）
５５　開口
５６　突起
５８　案内スリット（変位案内部）
５９　電線挿入孔
６２　保護部
Ｆ　外力
【図１】
2004055515.tif 000003
【図２】
2004055515.tif 000004
【図３】
2004055515.tif 000005
【図４】
2004055515.tif 000006
【図５】
2004055515.tif 000007
【図６】
2004055515.tif 000008
【図７】
2004055515.tif 000009
【図８】
2004055515.tif 000010
【図９】
2004055515.tif 000011
【図１０】
2004055515.tif 000012
【図１１】
2004055515.tif 000013
【図１２】
2004055515.tif 000014
【図１３】
2004055515.tif 000015
【図１４】
2004055515.tif 000016
【図１５】
2004055515.tif 000017
【図１６】
2004055515.tif 000018
【図１７】
2004055515.tif 000019
【図１８】
2004055515.tif 000020
【図１９】
2004055515.tif 000021
【図２０】
2004055515.tif 000022
【図２１】
2004055515.tif 000023
【図２２】
2004055515.tif 000024
【図２３】
2004055515.tif 000025
【図２４】
2004055515.tif 000026
【手続補正書】
【提出日】平成15年4月24日(2003.4.24)
【手続補正１】
【補正対象書類名】明細書
【補正対象項目名】０００６
【補正方法】変更
【補正の内容】
【０００６】
このようなコネクタによれば、圧接端子の溝内に圧入されつつある電線が電線押圧手段によってさらに強引に押圧するので電線の抜け落ちが防止される。
しかし、このコネクタによれば、圧接端子への電線の入り込み状態がどのようであろうとも、例えば溝の中央から偏った状態で位置していたりする場合でも、電線は電線押圧手段により押圧される。その結果、電線の芯線の全部または一部に無理が生じ、集中応力を生ぜしめる。その結果、芯線の断面積が減少し接触抵抗値が上昇したり、あるいは片寄により局部に隙間が生じて一部の芯線が圧接端子と接触しなかったり、切断されたりすることに起因して、空気中の水分により酸化が生じ、耐久性が落ちたり接触抵抗値にばらつきが生じてしまう虞がある。


【手続補正２】
【補正対象書類名】明細書
【補正対象項目名】００３０
【補正方法】変更
【補正の内容】
【００３０】
電線保持部３１は、本体５ａに形成された各電線挿入孔２９の長手方向に対して直交している。このためカバーハウジング５には、電線保持部３１を電線挿入孔２９の長手方向に対して直交状態でスライドさせる開口３５を有する（図１〜図７，図１０，図１４等参照）。開口３５は、カバーハウジング５の天板３６から各電線挿入孔２９に至るまで貫通する貫通孔である。電線保持部３１は開口３５に案内される。そして、電線挿入孔２９に電線を挿入した状態で電線保持部３１の上方を押圧することにより、電線２１の被覆上面に密着し電線２１を保持する箇所に移動する。この状態では、電線保持部３１の上面は天板３６と略面一の状態である。


【手続補正３】
【補正対象書類名】明細書
【補正対象項目名】図１８
【補正方法】変更
【補正の内容】
【図１８】図１７のＸＶＩＩＩ−ＸＶＩＩＩ線に沿った断面図であって電線保持部を実線で示した図である。


【手続補正４】
【補正対象書類名】明細書
【補正対象項目名】図１９
【補正方法】変更
【補正の内容】
【図１９】図１７の矢印ＸＩＸ方向から見た図であって電線保持部を実線で示した図である。


【手続補正５】
【補正対象書類名】明細書
【補正対象項目名】図２３
【補正方法】変更
【補正の内容】
【図２３】図２１のＩＩＸＩＩＩ−ＩＩＸＩＩＩ線に沿った断面図であって図１８に相当する図である。